(57)【要約】【課題】薬剤の容量の異なる複数の薬剤保持体を１台の装置本体で対応することのできる薬剤放散装置を提供できるようにすることを目的とする。【解決手段】装置本体に送風ファンを備え、この装置本体に薬剤を保持する薬剤保持体を着脱自在に取り付ける取り付け部を備えると共に、この取り付け部に取り付けた薬剤保持体２０の薬剤を送風ファンによって放散する薬剤放散装置において、薬剤保持体２０にあっては、薬剤を含浸させて保持するネット状シート２１の面積を異ならせることにより薬剤の容量の異なる複数の薬剤保持体２０を用意し、この複数の薬剤保持体２０の大きさを最大の薬剤の容量となる薬剤保持体２０の大きさに統一すると共に、装置本体における取り付け部も最大の薬剤の容量となる薬剤保持体２０の大きさに合わせたものにした薬剤放散装置である。【選択図】      図３
2004159564.tif 000002
【特許請求の範囲】
【請求項１】
装置本体１に送風ファン１０を備え、この装置本体１に薬剤を保持する薬剤保持体２０を着脱自在に取り付ける取り付け部９を備えると共に、この取り付け部９に取り付けた薬剤保持体２０の薬剤を送風ファン１０によって放散する薬剤放散装置において、
薬剤保持体２０にあっては、薬剤の容量の異なる複数の薬剤保持体２０を用意し、この複数の薬剤保持体２０の大きさを最大の薬剤の容量となる薬剤保持体２０の大きさに統一すると共に、装置本体１における取り付け部９も最大の薬剤の容量となる薬剤保持体２０の大きさに合わせたものにしたことを特徴とする薬剤放散装置。
【請求項２】
用意する複数の薬剤保持体２０にあっては、薬剤を含浸させて保持する担体を中央に備え、その周囲に枠体２２を備えると共に、この薬剤保持体２０を装置本体１の取り付け部９に取り付けたとき、薬剤保持体２０における周囲の枠体２２が取り付け部９に密接するようにしたことを特徴とする請求項１記載の薬剤放散装置。
【請求項３】
用意する複数の薬剤保持体２０にあっては、通気性を有する収納容器２３を備え、この収納容器２３内に薬剤を含浸させて保持する担体を収めたことを特徴とする請求項１記載の薬剤放散装置。
【請求項４】
装置本体１に備えた送風ファン１０をシロッコファンとしたことを特徴とする請求項１又は請求項２又は請求項３記載の薬剤放散装置。
【発明の詳細な説明】
【０００１】
【発明の属する技術分野】
本発明は、装置本体に送風ファンを備え、この装置本体に、殺虫、忌避、消臭、芳香、防菌防黴等の目的に供する揮発性の薬剤を保持する薬剤保持体を着脱自在に取り付ける取り付け部を備えると共に、この取り付け部に取り付けた薬剤保持体の薬剤を送風ファンによって放散する薬剤放散装置に関する。
【０００２】
【従来の技術】
従来、薬剤放散装置としては、装置本体に送風ファンを備え、この装置本体に薬剤を保持する薬剤保持体を着脱自在に取り付ける取り付け部を備えると共に、この取り付け部に取り付けた薬剤保持体の薬剤を送風ファンによって放散するものが知られていた。
【０００３】
昨今、このような薬剤放散装置において、害虫防除用としての薬剤放散装置が普及していた。この害虫防除用の薬剤放散装置にあっては、揮発性の薬剤を保持する薬剤保持体と、この薬剤保持体を取り付けて薬剤保持体の薬剤を送風ファンによって放散する装置本体とをセット品として市販していた。
【０００４】
この薬剤を保持する薬剤保持体としては、現在、同一用法用量の範囲内にて異なる使用期間、例えば、１ヶ月用と３ヶ月用等といったような商品が揃えられていた。また、今後は、異なる広さの空間、例えば、六畳程度の小部屋用から何十畳となる大部屋用といったようなもの、あるいは防除する害虫に応じたものといったように、薬剤の容量を異ならせた複数の薬剤保持体を用いる場面が往々にして増えるものと考えられる。
【０００５】
そこで、薬剤の容量の異なる複数の薬剤保持体を用意する場合、内部に収納する薬剤の量、例えば、薬剤を含浸させる担体の量を増減することで対応していた。例えば、薬剤保持体の面積、すなわち外形である大きさを異ならせることで、薬剤の容量の異なる複数の薬剤保持体を用意することが良策と考えられていた。
【０００６】
【発明が解決しようとする課題】
しかしながら、大きさを異ならせた薬剤の容量の異なる複数の薬剤保持体を用意した場合、装置本体においては１台だけではこれに対応することができず、結果的に、大きさを異ならせた薬剤の容量の異なる複数用意した薬剤保持体にそれぞれ対応した装置本体をそれぞれ用意して使用するしかなく、極めて効率が悪いといった問題があった。
【０００７】
本発明は、このようなことに鑑みなされたものであり、薬剤の容量の異なる複数の薬剤保持体を１台の装置本体で対応することのできる薬剤放散装置を提供できるようにすることを目的とする。
【０００８】
【課題を解決するための手段】
第１の発明は、装置本体に送風ファンを備え、この装置本体に薬剤を保持する薬剤保持体を着脱自在に取り付ける取り付け部を備えると共に、この取り付け部に取り付けた薬剤保持体の薬剤を送風ファンによって放散する薬剤放散装置において、薬剤保持体にあっては、薬剤の容量の異なる複数の薬剤保持体を用意し、この複数の薬剤保持体の大きさを最大の薬剤の容量となる薬剤保持体の大きさに統一すると共に、装置本体における取り付け部も最大の薬剤の容量となる薬剤保持体の大きさに合わせたものにした薬剤放散装置である。
【０００９】
第２の発明は、第１の発明において、用意する複数の薬剤保持体にあっては、薬剤を含浸させて保持する担体を中央に備え、その周囲に枠体を備えると共に、この薬剤保持体を装置本体の取り付け部に取り付けたとき、薬剤保持体における周囲の枠体が取り付け部に密接するようにした薬剤放散装置である。
【００１０】
第３の発明は、第１の発明において、用意する複数の薬剤保持体にあっては、通気性を有する収納容器を備え、この収納容器内に薬剤を含浸させて保持する担体を収めた薬剤放散装置である。
【００１１】
第４の発明は、第１又は第２又は第３の発明において、装置本体に備えた送風ファンをシロッコファンとした薬剤放散装置である。
【００１２】
【作    用】
第１の発明によれば、用意した複数の薬剤保持体の大きさを最大の薬剤の容量となる薬剤保持体の大きさに統一すると共に、装置本体における取り付け部も最大の薬剤の容量となる薬剤保持体の大きさに合わせたものにすることにより、薬剤の容量の異なる複数の薬剤保持体を１台の装置本体のみで対応することができ、効率の良い薬剤放散装置を提供することができる。
【００１３】
第２の発明によれば、装置本体の取り付け部に薬剤保持体を取り付けたとき、薬剤保持体における周囲の枠体が取り付け部に密接することにより、横等からの空気の流入を防止して、装置本体における所定の場所より良好に空気を流入することができ、強いては、薬剤の放散を極めて良好に行うことができる。
【００１４】
第３の発明によれば、収納容器内に薬剤を含浸させて保持する担体を収めたことにより、薬剤保持体を取り扱う際、直接手が薬剤に触れることがなく、安全面において優れたものにすることができる。
【００１５】
第４の発明によれば、装置本体に備えた送風ファンをシロッコファンとしたことにより、装置本体の薄型化かつ小型化を図り、強いては当該薬剤放散装置の薄型化かつ小型化を図ることができ、容易に持ち運びすることができ、いろいろな場所に設置して使用することにより、非常に使い勝手が良く、実用性が良好なものにすることができる。
【００１６】
【発明の実施の形態】
本発明による薬剤放散装置の第１実施形態について説明する。
まず、図１及び図２に示すように、プラスチック製の半円長方形状の装置本体１を備え、装置本体１は上面２と側面３と底面４とからなり、その上面２に大きな円形状の第一開口部５を形成すると共に、側面３にスリット状の開口部６を多数形成する。また、上面２の下側に間隙を有して上部内面７を設けて、この上部内面７にも円形状の第二開口部８を形成する。この上面２と上部内面７との間の間隙を後述する薬剤保持体２０を横方向から挿入して取り付ける取り付け部９にする。
【００１７】
また、この装置本体１の内部には、送風ファン１０を備え、この送風ファン１０は、遠心送風機の一種であるシロッコファンと呼ばれる多翼式送風機であり、回転方向に対して多数の幅の細い羽根１１を円筒状に配置したもので、その回転中心にモータ１２を備えて、このモータ１２により多数の羽根を回転させることで、空気を遠心方向に流すようにするものである。この送風ファン１０により、装置本体１の上面２に形成した第一開口部５及び上部内面７に形成した第二開口部８が空気を吸い込むための吸い込み口側となり、装置本体１の側面３に形成した開口部６が空気を放出するための放出口側となる。
【００１８】
さらに、この装置本体１の内部下方には電池収納部１３を形成して、この電池収納部１３の内部に電池１４を収納して、この電池１４によって送風ファン１０を駆動する。
【００１９】
次に、装置本体１の上部に設ける取り付け部９に着脱自在に取り付ける薬剤を保持する薬剤保持体２０にあっては、薬剤の容量の異なる複数の薬剤保持体２０を用意する。この薬剤保持体２０の基本的な構成は、図３及び図４に示すように、揮発性の薬剤を含浸させて保持する担体であるネット状シート２１を中央に備え、その周囲にプラスチック製の枠体２２を段差をつけて備えて、半円長方形のプレート状にしたもので、この上面と下面の中央において円形状にネット状シート２１が露出する。
【００２０】
なお、担体であるネット状シート２１に含浸させて保持する揮発性の薬剤としては、殺虫、忌避、消臭、芳香、防菌防黴等の目的に供するものである。
【００２１】
このようになる薬剤保持体２０を薬剤の容量の異ならせて複数用意し、この複数の薬剤保持体２０の大きさは最大の薬剤の容量となる薬剤保持体２０の大きさに統一する。これは、例えば、図３（ａ）及び図４（ａ）のように、薬剤の容量を多くするためにネット状シート２１の面積を大きくした薬剤保持体２０、図３（ｂ）及び図４（ｂ）のように、薬剤の容量を中ぐらいにするためにネット状シート２１の面積を中ぐらいにした薬剤保持体２０、図３（ｃ）及び図４（ｃ）のように、薬剤の容量を少なくするためにネット状シート２１の面積を小さくした薬剤保持体２０をそれぞれ用意し、このとき、３つの薬剤保持体２０の大きさは、ネット状シート２１の面積を大きくして薬剤の容量を多くしたものの大きさに統一する。すなわち、用意した複数の薬剤保持体２０の大きさを最大の薬剤の容量となる薬剤保持体２０の大きさに統一する。
【００２２】
一方、図５に示すように、装置本体１における取り付け部９も前述した統一した最大の薬剤の容量となる薬剤保持体２０の大きさに合わせたものにする。
【００２３】
そして、装置本体１の取り付け部９に薬剤保持体２０を取り付けるとき、例えば、図５のように、薬剤保持体２０を横方向から挿入して取り付けるようになり、このとき、薬剤保持体２０における周囲の枠体２２が取り付け部９である上面２と上部内面７とに密接する。
【００２４】
このような構成により、装置本体１の内部に備えた送風ファン１０によって、装置本体１の上面２の第一開口部５から空気が流入し、薬剤保持体２０におけるネット状シート２１の部分を通過して、上部内面７の第二開口部８を経て、装置本体１内部を流れ、装置本体１の側面３の開口部６より外部に空気が放出する。このとき、薬剤保持体２０におけるネット状シート２１に含浸させた揮発性の薬剤も空気の流れに乗って、装置本体１内部を流れて、装置本体１の側面３の開口部６より外部へと放散するようになる。
【００２５】
以上のように、用意した複数の薬剤保持体２０の大きさを最大の薬剤の容量となる薬剤保持体２０の大きさに統一すると共に、装置本体１における取り付け部９も最大の薬剤の容量となる薬剤保持体２０の大きさに合わせたものにすることで、薬剤の容量を多くしたもの、薬剤の容量を中ぐらいにしたもの、薬剤の容量を少なくしたものといったように薬剤の容量の異なる複数の薬剤保持体２０を１台の装置本体１のみで対応することができる。
【００２６】
しかも、装置本体１の取り付け部９に薬剤保持体２０を取り付けるとき、薬剤保持体２０における周囲の枠体２２が取り付け部９である上面２と上部内面７とに密接することで、横等からの空気の流入を防止し、装置本体１の上面に形成した第一開口部５より良好に空気を流入することができ、強いては、装置本体１の側面３の開口部６からの薬剤の放散を極めて良好に行うことができる。
【００２７】
また、装置本体１に備えた送風ファン１０を遠心送風機の一種の多翼式送風機であるシロッコファンとしたことで、装置本体１の薄型化かつ小型化を図り、強いては当該薬剤放散装置の薄型化かつ小型化を図ることができ、しかも、電源として装置本体１の下部に備える電池１４を利用することで、容易に持ち運びすることができ、いろいろな場所に設置して使用することにより、非常に使い勝手が良く、実用性が良好なものにすることができる。
【００２８】
次に、前述した第１実施形態の変形例として、薬剤保持体２０の構成が異なるものについて説明する。これは、図６及び図７に示すように、上下に通気性を有するプラスチック製の円板状の収納容器２３を備えて、この収納容器２３内に揮発性の薬剤を含浸させて保持する担体である粒状体２４を収めるようにしたものである。
【００２９】
そして、このようになる薬剤保持体２０を薬剤の容量の異ならせて複数用意し、この複数の薬剤保持体２０の大きさも最大の薬剤の容量となる薬剤保持体２０の大きさに統一する。これも、例えば、図６（ａ）及び図７（ａ）のように、薬剤の容量を多くするために収納容器２３の面積を大きくした薬剤保持体２０、図６（ｂ）及び図７（ｂ）のように、薬剤の容量を中ぐらいにするために収納容器２３の面積を中ぐらいにした薬剤保持体２０、図６（ｃ）及び図７（ｃ）のように、薬剤の容量を少なくするために収納容器２３の面積を小さくした薬剤保持体２０をそれぞれ用意し、このとき、３つの薬剤保持体２０の大きさは、収納容器２３の面積を大きくして薬剤の容量を多くしたものの大きさに統一する。すなわち、用意した複数の薬剤保持体２０の大きさを最大の薬剤の容量となる薬剤保持体２０の大きさに統一する。
【００３０】
これによっても、前述した第１実施形態と同様の作用効果を奏すると共に、さらに、薬剤保持体２０にあっては薬剤を含浸した担体である粒状体２４をプラスチック製の収納容器２３の中に収めるようになるので、薬剤保持体２０を取り扱う際、直接手が薬剤に触れることがなく、安全面において優れたものにすることができる。
【００３１】
さらに、前述した第１実施形態及びその変形例とは別の例として、取り付け部９に薬剤保持体２０を横方向から挿入するタイプではなく、上から挿入するタイプでも良い。これは、図８及び図９に示すように、装置本体１にあっては、プラスチック製の円形状となり、前述の装置本体１に対して、上面２をなくして、上部内面７と側面３と底面４とからなら構成したもので、側面３にスリット状の開口部６を多数形成すると共に、上部内面７に円形状の第二開口部８を形成する。
【００３２】
また、薬剤保持体２０の基本的な構成は、図１０（ａ）、図１０（ｂ）、図１０（ｃ）に示すように、上下に通気性を有するプラスチック製の円板状の収納容器２３を備えて、この収納容器２３内に揮発性の薬剤を含浸させて保持する担体である粒状体２４を収めるようにし、この薬剤保持体２０も薬剤の容量の異ならせて複数用意し、この複数の薬剤保持体２０の大きさは前述と同様、最大の薬剤の容量となる薬剤保持体２０の大きさに統一する。
【００３３】
これによっても、前述した第１実施形態及びその変形例と同様の作用効果を奏する。
【００３４】
なお、装置本体１における取り付け部９に薬剤保持体２０を横方向から挿入するタイプにおいては、図１１と図１２、または図１３と図１４に示すように、取り付け部９側に凹溝２５を形成し、薬剤保持体２０側に凹溝２５に相対する凸部２６を形成することで、薬剤保持体２０の取り付け部９への挿入する際、容易かつ的確に挿入することができる。
【００３５】
次に、本発明による薬剤放散装置の第２実施形態について説明する。
第１実施形態やその変形例は、複数の薬剤保持体２０において、薬剤の容量の異ならせるために、ネット状シート２１あるいは収納容器２３の面積を異ならせることで、薬剤の容量を異ならせていたが、この代わりに、例えば、収納容器２３を用いて、図１５に示すように、その厚み方向の寸法を異ならせる、すなわち面積は同じにして体積を異ならせるようにして、この収納容器２３の内部に収める粒状体２４の量を異ならせるようにしても良い。これは、図１５（ａ）のように、薬剤の容量を多くするために収納容器２３の厚みを大きくし体積を大きくした薬剤保持体２０、図１５（ｂ）のように、薬剤の容量を中ぐらいにするために収納容器２３の厚みを中ぐらいにし体積を中ぐらいにした薬剤保持体２０、図１５（ｃ）のように、薬剤の容量を少なくするために収納容器２３の厚みを小さくし体積を小さくした薬剤保持体２０をそれぞれ用意し、このとき、３つの薬剤保持体２０の大きさは、収納容器２３の体積を大きくして薬剤の容量を多くしたものの大きさに統一する。すなわち、用意した複数の薬剤保持体２０の大きさを最大の薬剤の容量となる薬剤保持体２０の大きさに統一する。
【００３６】
これによっても、前述した第１実施形態及びその変形例等と同様の作用効果を奏する。ただし、このように厚みを異ならせて体積を異ならせる場合、厚みを所定以上に大きくすると、どうしても内部を通過する空気の通気状態が悪くなり、薬剤の放散状態が変化してしまうので、注意する必要がある。
【００３７】
なお、前述した各実施形態にあっては、単なる一実施形態であって、これに限定されるものではなく、同様の機能及び作用効果を奏するものならば、他の形状や構造のものでも良い。
【００３８】
【発明の効果】
本発明によれば、用意した複数の薬剤保持体の大きさを最大の薬剤の容量となる薬剤保持体の大きさに統一すると共に、装置本体における取り付け部も最大の薬剤の容量となる薬剤保持体の大きさに合わせたものにすることにより、薬剤の容量の異なる複数の薬剤保持体を１台の装置本体のみで対応することができ、効率の良い薬剤放散装置を提供することができる。
【００３９】
本発明によれば、装置本体の取り付け部に薬剤保持体を取り付けたとき、薬剤保持体における周囲の枠体が取り付け部に密接することにより、横等からの空気の流入を防止して、装置本体における所定の場所より良好に空気を流入することができ、強いては、薬剤の放散を極めて良好に行うことができる。
【００４０】
本発明によれば、収納容器内に薬剤を含浸させて保持する担体を収めたことにより、薬剤保持体を取り扱う際、直接手が薬剤に触れることがなく、安全面において優れたものにすることができる。
【００４１】
本発明によれば、装置本体に備えた送風ファンをシロッコファンとしたことにより、装置本体の薄型化かつ小型化を図り、強いては当該薬剤放散装置の薄型化かつ小型化を図ることができ、容易に持ち運びすることができ、いろいろな場所に設置して使用することにより、非常に使い勝手が良く、実用性が良好なものにすることができる。
【図面の簡単な説明】
【図１】薬剤放散装置における装置本体の断面図である。
【図２】薬剤放散装置における装置本体の上面図である。
【図３】（ａ）薬剤放散装置における薬剤保持体の断面図である。
（ｂ）薬剤放散装置における薬剤保持体の断面図である。
（ｃ）薬剤放散装置における薬剤保持体の断面図である。
【図４】（ａ）薬剤放散装置における薬剤保持体の上面図である。
（ｂ）薬剤放散装置における薬剤保持体の上面図である。
（ｃ）薬剤放散装置における薬剤保持体の上面図である。
【図５】装置本体の取り付け部に薬剤保持体を取り付けるときの説明図である。
【図６】（ａ）薬剤放散装置における薬剤保持体の変形例の断面図である。
（ｂ）薬剤放散装置における薬剤保持体の変形例の断面図である。
（ｃ）薬剤放散装置における薬剤保持体の変形例の断面図である。
【図７】（ａ）薬剤放散装置における薬剤保持体の変形例の上面図である。
（ｂ）薬剤放散装置における薬剤保持体の変形例の上面図である。
（ｃ）薬剤放散装置における薬剤保持体の変形例の上面図である。
【図８】薬剤放散装置における装置本体の別の例の断面図である。
【図９】薬剤放散装置における装置本体の別の例の上面図である。
【図１０】（ａ）薬剤放散装置における薬剤保持体の別の例の上面図である。
（ｂ）薬剤放散装置における薬剤保持体の別の例の上面図である。
（ｃ）薬剤放散装置における薬剤保持体の別の例の上面図である。
【図１１】薬剤保持体の別の例を示す説明図である。
【図１２】装置本体における取り付け部の別の例を示す説明図である。
【図１３】薬剤保持体の別の例を示す説明図である。
【図１４】装置本体における取り付け部の別の例を示す説明図である。
【図１５】（ａ）薬剤放散装置における第２実施形態の薬剤保持体の断面図である。
（ｂ）薬剤放散装置における第２実施形態の薬剤保持体の断面図である。
（ｃ）薬剤放散装置における第２実施形態の薬剤保持体の断面図である。
【符号の説明】
１…装置本体、２…上面、３…側面、４…底面、５…第一開口部、６…開口部、７…上部内面、８…第二開口部、９…取り付け部、１０…送風ファン、１１…羽根、１２…モータ、１３…電池収納部、１４…電池、２０…薬剤保持体、２１…ネット状シート、２２…枠体、２３…収納容器、２４…粒状体、２５…凹溝、２６…凸部。
【図１】
2004159564.tif 000003
【図２】
2004159564.tif 000004
【図３】
2004159564.tif 000005
【図４】
2004159564.tif 000006
【図５】
2004159564.tif 000007
【図６】
2004159564.tif 000008
【図７】
2004159564.tif 000009
【図８】
2004159564.tif 000010
【図９】
2004159564.tif 000011
【図１０】
2004159564.tif 000012
【図１１】
2004159564.tif 000013
【図１２】
2004159564.tif 000014
【図１３】
2004159564.tif 000015
【図１４】
2004159564.tif 000016
【図１５】
2004159564.tif 000017